(57)【要約】【課題】歯磨き効果を高めることが可能な愛玩動物用ガムおよびその製造方法提供する。【解決手段】動物の皮から作られた愛玩動物用のガムであって、動物の皮から得られる１本の紐状部材によって編まれている編み部分を有している。これにより、愛玩動物がガムを噛んだ際に、編み部分の隙間に歯が入り込み、歯磨き効果を得ることができる。さらに、１本の紐状部材によって編まれているため、咀嚼によって形が崩れた場合であっても、バラバラになりにくく、形を維持することができる。【選択図】図１
2013074817.tif 000002
【特許請求の範囲】
【請求項１】
動物の皮から得られる１本の紐状部材によって編まれている編み部分を有する、
愛玩動物用ガム。
【請求項２】
前記編み部分は、全体の１０質量パーセント以上である、
請求項１に記載の愛玩動物用ガム。
【請求項３】
前記紐状部材の表面の少なくとも一部に凹凸形状が形成されている、
請求項１又は２に記載の愛玩動物用ガム。
【請求項４】
前記凹凸形状が形成されている表面の断面曲線における十点平均粗さは、基準長さを２５．０ｍｍとした場合に、３５μｍ以上４００μｍ以下である、
請求項３に記載の愛玩動物用ガム。
【請求項５】
前記編み部分は、外形が筒形状となる部分を含むように形成されている、
請求項１又は２に記載の愛玩動物用ガム。
【請求項６】
前記筒形状の内側以外でかつ外側以外の周方向の表面の少なくとも一部に、凹凸形状が形成されている、
請求項５に記載の愛玩動物用ガム。
【請求項７】
前記紐状部材は、前記動物の皮を、厚み方向視における渦巻き状の経路を沿うように切断することで得られる、
請求項１、２および５のいずれか１項に記載の愛玩動物用ガム。
【請求項８】
前記動物の皮は、表皮と皮下組織との間の真皮である、
請求項７に記載の愛玩動物用ガム。
【請求項９】
前記紐状部材には、前記真皮のうち前記表皮側の面の表面粗さおよび前記皮下組織側の面の表面粗さのいずれよりも表面粗さが粗い凹凸形状が形成されている、
請求項８に記載の愛玩動物用ガム。
【請求項１０】
前記凹凸形状は、前記真皮を厚み方向視における渦巻き状の経路を沿うように切断する際の、切断用の刃先と前記真皮の切断面との当たり方の変化に起因して形成される、
請求項９に記載の愛玩動物用ガム。
【請求項１１】
少なくとも前記編み部分の表面には、硬化層が設けられている、
請求項１から１０のいずれか１項に記載の愛玩動物用ガム。
【請求項１２】
前記編み部分の編み方は、平編である、
請求項１から１１のいずれか１項に記載の愛玩動物用ガム。
【請求項１３】
前記動物の皮は、牛、豚、馬、鹿、カンガルー、ダチョウ、羊、山羊、および、猪からなる群より選択される１種類又は２種以上の組合せである、
請求項１から１２のいずれか１項に記載の愛玩動物用ガム。
【請求項１４】
動物の真皮を用意する工程と、
前記真皮を厚み方向に切断することにより、少なくとも１本の紐状部材を得る工程と、
１本の前記紐状部材を編むことで編み部分を形成する工程と、
を有する愛玩動物用ガムの製造方法。
【請求項１５】
前記真皮を厚み方向に切断する際の切断経路は、厚み方向視で渦巻き状である、
請求項１４に記載の愛玩動物用ガムの製造方法。
【請求項１６】
前記紐状部材は、表面の少なくとも一部が凹凸形状となるように加工されている、
請求項１４又は１５に記載の愛玩動物用ガムの製造方法。
【請求項１７】
前記凹凸形状は、前記真皮を厚み方向視における渦巻き状の経路を沿うように切断する際の、切断用の刃先と前記真皮の切断面との当たり方の変化に起因して形成される、
請求項１６に記載の愛玩動物用ガムの製造方法。
【請求項１８】
前記凹凸形状となるように加工された部分の表面粗さは、前記真皮のうち前記表皮側の面の表面粗さおよび前記皮下組織側の面の表面粗さのいずれよりも表面粗さが粗くなるように加工されている、
請求項１６又は１７に記載の愛玩動物用ガムの製造方法。
【請求項１９】
前記編み部分は、外形が筒形状となる部分を含むように形成されている、
請求項１４から１８のいずれか１項に記載の愛玩動物用ガムの製造方法。
【請求項２０】
少なくとも前記編み部分の表面に、硬化層を設ける工程をさらに有する、
請求項１４から１９のいずれか１項に記載の愛玩動物用ガムの製造方法。
【発明の詳細な説明】
【技術分野】
【０００１】
本発明は、愛玩動物用ガムおよびその製造方法に関する。
【背景技術】
【０００２】
愛玩動物をペットとして飼う人口は、年々増大している。このような愛玩動物は、飼い主によって、非常にかわいがられ、かつ、大切にされている。特に、近年では、愛玩動物の体調が悪くなった場合にすぐに動物病院の獣医に診てもらう等、愛玩動物の健康を重要視している飼い主が多い。
【０００３】
このような愛玩動物は、自らブラッシングする等によって歯を磨くことができないため、歯石や歯垢が蓄積して歯周疾患を引き起こしてしまうこともあり、歯の健康が問題視されている。
【０００４】
これに対して、例えば、特許文献１（特開平９−２８３１２号公報）に記載の動物用食餌材のように、ゼオライトを使用して歯磨き効果を持たせた食餌材が提案されている。
【発明の概要】
【発明が解決しようとする課題】
【０００５】
上述した特許文献１（特開平９−２８３１２号公報）に記載の食餌材は、噛み応えを良好にすることで、噛む回数を増やし、歯磨き効果を高めることをねらいとしている
ところが、このような食餌材は、愛玩動物によって咀嚼される際に、歯の先端には当たるが、歯の根元には当たりにくい。このため、歯の根元や、歯の歯茎に近い部分における歯磨き効果を十分に得ることができない。
【０００６】
また、従来の食餌材は、愛玩動物による咀嚼によって破壊され、小さく分解されてしまう場合がある。このように小さく分解されてしまうと、完食させるまでの間、愛玩動物の食欲や食餌材に対する関心を保てない場合があり、咀嚼による歯磨き効果を得る機会が損なわれることがある。
【０００７】
また、食餌材が小さく分解されてしまうと、愛玩動物は、よく噛まずに直ぐに飲み込んでしまう場合や、咀嚼の際に用いる歯が特定の歯に偏ってしまい全体的な歯磨き効果が得られない場合がある。さらに、咀嚼しても十分な歯磨き効果が得られないほど小さく分解されてしまうこともある。
【０００８】
本発明は、上述した点に鑑みてなされたものであり、本発明の課題は、歯磨き効果を高めることが可能な愛玩動物用ガムおよびその製造方法提供することにある。
【課題を解決するための手段】
【０００９】
本発明の第１観点に係る愛玩動物用ガムは、動物の皮から得られる１本の紐状部材によって編まれている編み部分を有する。なお、編み部分は、愛玩動物用ガムの全体の少なくとも一部を構成していればよく、愛玩動物用ガムの全体を構成していてもよい。なお、編み部分の編み方は、特に限定されるものではなく、例えば、緯編（よこあみ、Weft Knitting）であってもよいし、経編（たてあみ、Warp Knitting）であってもよい。また、編み部分は、手編みによって得られるものであってもよいし、機械によって編まれることで得られるものであってもよい。
【００１０】
この愛玩動物用ガムは、動物の皮から得られる紐状部材を用いているため、愛玩動物の食欲をかき立てることができ、咀嚼させる機会をより確実に確保することができる。また、編み部分を有しているため、愛玩動物の歯が、編み部分の紐状部材同士の間から入り込む。このため、紐状部材は、歯の根元まで入り込んで、歯の根元や歯茎に近い部分に擦り付けられ、汚れを落とす。これにより、歯の根元や歯茎に近い部分についても、歯磨き効果を十分に得ることができる。なお、歯先については、従来同様に歯磨き効果を得ることができる。
【００１１】
さらに、この愛玩動物用ガムが有している編み部分は、１本の紐状部材によって編まれているため、複数本の紐状部材が組まれる場合と比較して、分解されにくい。このため、完食させるまでの間、愛玩動物の食欲を保ちやすくなり、直ぐに飲み込んでしまうことを防ぎ、咀嚼による歯磨き効果を得る機会が確保しやすくなる。また、編み部分を有しているため、咀嚼の際に用いる歯の偏りを抑え、前歯や奥歯等を含む歯全体の歯磨き効果を得ることが可能になる。
【００１２】
これにより、歯磨き効果を高めることが可能になる。
【００１３】
本発明の第２観点に係る愛玩動物用ガムは、第１観点に係る愛玩動物用ガムにおいて、編み部分は、全体の１０質量パーセント以上である。
【００１４】
この愛玩動物用ガムは、全体のうち編み部分によって１０質量パーセント以上が構成されている。このため、愛玩動物が咀嚼する際に、より多くの歯が、編み部分の紐状部材同士の間に入り込みやすくなる。
【００１５】
本発明の第３観点に係る愛玩動物用ガムは、第１観点又は第２観点に係る愛玩動物用ガムにおいて、紐状部材の表面の少なくとも一部に凹凸形状が形成されている。
【００１６】
この愛玩動物用ガムは、愛玩動物の歯に付着している歯石や歯垢に単に接触するだけでなく、凹凸形状部分を歯に擦り付けることが可能になる。これにより、凹凸形状部分と歯との摩擦によって、歯石や歯垢を削ぎ落とす効果を高めることが可能になる。
【００１７】
本発明の第４観点に係る愛玩動物用ガムは、第３観点に係る愛玩動物用ガムにおいて、凹凸形状が形成されている表面の断面曲線における十点平均粗さは、基準長さを２５．０ｍｍとした場合に、３５μｍ以上４００μｍ以下である。
【００１８】
この愛玩動物用ガムは、歯石や歯垢を削ぎ落とす効果をよりいっそう高めることが可能になる。
【００１９】
本発明の第５観点に係る愛玩動物用ガムは、第１観点又は第２観点に係る愛玩動物用ガムにおいて、編み部分は、外形が筒形状となる部分を含むように形成されている。
【００２０】
この愛玩動物用ガムは、編み部分の外形が筒形状となる部分を含んでいるため、立体的に形成されている。これにより、外形が板状の場合と比較して、外形が筒形状の場合には、周囲から内側に歯が入り込みやすくなり、歯と歯の間や歯の根元付近まで紐状部材が入り込みやすくなる。
【００２１】
より具体的に説明すると、例えば、外形が板状であると、紐状部材同士の間の隙間に愛玩動物の歯が入り込もうとしても、この隙間部分で上の歯と下の歯が当たってしまった場合には、歯の根元まで紐状部材を入り込ませることが困難な場合がある。これに対して、この愛玩動物用ガムでは、外形が筒形状となるように立体的に形成された部分を含んでいるため、上の歯と下の歯とが当たってしまう前に、歯の根元まで紐状部材を入り込ませることが可能になる。
【００２２】
本発明の第６観点に係る愛玩動物用ガムは、第５観点に係る愛玩動物用ガムにおいて、筒形状の内側以外でかつ外側以外の周方向の表面の少なくとも一部に、凹凸形状が形成されている。
【００２３】
この愛玩動物用ガムは、筒形状の紐状部材同士の間を通じて歯が入り込む時に、紐状部材同士が向き合っている面の少なくとも一部には凹凸形状が形成されているため、歯に対して凹凸形状が形成されている部分が擦り付けられる。これにより、歯石や歯垢を削ぎ落とす効果をより高めることが可能になる。
【００２４】
本発明の第７観点に係る愛玩動物用ガムは、第１観点、第２観点および第５観点のいずれかに係る愛玩動物用ガムにおいて、紐状部材は、動物の皮を、厚み方向視における渦巻き状の経路を沿うように切断することで得られる。なお、ここでの渦巻き状の経路は、半径長さが長くなっていくように内側から外側に向けて渦巻き状に切断をしてもよいし、半径長さが短くなっていくように外側から内側に向けて渦巻き状に切断をしてもよい。
【００２５】
この愛玩動物用ガムは、動物の皮を切断することによって、紐状部材を得ている。ここで、仮に、動物の皮を、単に、直線的に切断するのであれば、得られる紐状部材の長さは短いものになってしまう。なぜなら、動物の皮の大きさは個体差が小さいため、直線的に切断する場合には、切断して得られる紐状部材の長さができるだけ長くなるように切断（例えば、方形の皮であれば、対角線上に切断する等）下としても、得られる紐状部材が長さには動物の体格に由来する限度がある。
【００２６】
これに対して、この愛玩動物用ガムでは、動物の皮を、直線的に切断するのではなく、厚み方向視における渦巻き状の経路を沿うように切断している。このため、得られる紐状部材の長さをより長くすることが可能になる。これにより、短い紐状部材を用いて編み部分を編む場合と比較して、長い紐状部材を用いて編み部分を編んだ場合の方が、編み部分の大きさを大きくすることができる。
【００２７】
本発明の第８観点に係る愛玩動物用ガムは、第７観点に係る愛玩動物用ガムにおいて、動物の皮は、表皮と皮下組織との間の真皮である。
【００２８】
この愛玩動物用ガムは、真皮の部分を用いて構成されているため、乾燥させたものを咀嚼させた場合の歯磨き効果をより高めることができる。
【００２９】
本発明の第９観点に係る愛玩動物用ガムは、第８観点に係る愛玩動物用ガムにおいて、紐状部材には、真皮のうち表皮側の面の表面粗さおよび皮下組織側の面の表面粗さのいずれよりも表面粗さが粗い凹凸形状が形成されている。
【００３０】
なお、ここで、真皮のうち表皮側の面の表面粗さおよび皮下組織側の面の表面粗さは、基準長さを２．５ｍｍとした場合の、断面曲線における十点平均粗さとして特定される。
【００３１】
商業的に入手される真皮は、表皮側の面および皮下組織側の面の両方が平滑な面を構成している。
【００３２】
これに対して、この愛玩動物用ガムの紐状部材は、凹凸形状を有しており、その凹凸形状部分の表面粗さが、真皮の平滑な表皮側の面および皮下組織側の面のいずれよりも粗くなるように構成されている。このため、真皮の平滑な表皮側の面や皮下組織側の面が歯に擦り付けられた場合と比較して、凹凸形状部分が歯に擦り付けられた場合の方が、歯石や歯垢を削ぎ落とす効果を高めることが可能になる。
【００３３】
本発明の第１０観点に係る愛玩動物用ガムは、第９観点に係る愛玩動物用ガムにおいて、凹凸形状は、真皮を厚み方向視における渦巻き状の経路を沿うように切断する際の、切断用の刃先と真皮の切断面との当たり方の変化に起因して形成される。
【００３４】
この愛玩動物用ガムは、真皮から紐状部材を得ながら、凹凸形状を同時に形成することが可能になる。
【００３５】
本発明の第１１観点に係る愛玩動物用ガムは、第１観点から第１０観点のいずれかに係る愛玩動物用ガムにおいて、少なくとも編み部分の表面には、硬化層が設けられている。
【００３６】
この愛玩動物用ガムは、編み部分の表面に硬化層が形成されているため、編み部分において互いに接触している紐状部材同士を固定させることが可能になる。このため、愛玩動物によって咀嚼される際に、形状が保持されやすく、歯との摩擦を効果的に生じさせることができる。
【００３７】
本発明の第１２観点に係る愛玩動物用ガムは、第１観点から第１１観点のいずれかに係る愛玩動物用ガムにおいて、編み部分の編み方は、平編である。
【００３８】
この愛玩動物用ガムの編み部分の編み方は、平編である。このため、編み部分には、紐状部材が輪の形になっている部分が無数に存在する。このため、咀嚼される際には、複数の輪のそれぞれの内側に対して、複数の歯が入り込むことになる。この場合に、これらの複数の輪の形は、１本の糸状部材で構成され、互いに連続しているため、１つの輪が広がろうとすると他の輪に張力を掛けることができ、紐状部材が歯から逸れにくくなる。これにより、歯磨き効果をより高めることができる。
【００３９】
本発明の第１３観点に係る愛玩動物用ガムは、第１観点から第１２観点のいずれかに係る愛玩動物用ガムにおいて、動物の皮は、牛、豚、馬、鹿、カンガルー、ダチョウ、羊、山羊、および、猪からなる群より選択される１種類又は２種以上の組合せである。
【００４０】
本発明の第１４観点に係る愛玩動物用ガムの製造方法は、以下の工程を有する。動物の真皮を用意する。この真皮の用意は、商業的に購入することで用意してもよい。真皮を厚み方向に切断することにより、少なくとも１本の紐状部材を得る。１本の紐状部材を編むことで編み部分を形成する。
【００４１】
この愛玩動物用ガムの製造方法で得られる愛玩動物用ガムは、動物の皮から得られる紐状部材を用いているため、愛玩動物の食欲をかき立てることができ、咀嚼させる機会をより確実に確保することができる。また、編み部分を有しているため、愛玩動物の歯が、編み部分の紐状部材同士の間から入り込む。このため、紐状部材は、歯の根元まで入り込んで、歯の根元や歯茎に近い部分に擦り付けられ、汚れを落とす。これにより、歯の根元や歯茎に近い部分についても、歯磨き効果を十分に得ることができる。なお、歯先については、従来同様に歯磨き効果を得ることができる。
【００４２】
さらに、この愛玩動物用ガムが有している編み部分は、１本の紐状部材によって編まれているため、複数本の紐状部材が組まれる場合と比較して、分解されにくい。このため、完食させるまでの間、愛玩動物の食欲を保ちやすくなり、直ぐに飲み込んでしまうことを防ぎ、咀嚼による歯磨き効果を得る機会が確保しやすくなる。また、編み部分を有しているため、咀嚼の際に用いる歯の偏りを抑え、前歯や奥歯等を含む歯全体の歯磨き効果を得ることが可能になる。
【００４３】
これにより、歯磨き効果を高めることが可能になる。
【００４４】
本発明の第１５観点に係る愛玩動物用ガムの製造方法は、第１４観点に係る愛玩動物用ガムの製造方法において、真皮を厚み方向に切断する際の切断経路は、厚み方向視で渦巻き状である。なお、ここでの渦巻き状の経路は、半径長さが長くなっていくように内側から外側に向けて渦巻き状に切断をしてもよいし、半径長さが短くなっていくように外側から内側に向けて渦巻き状に切断をしてもよい。
【００４５】
愛玩動物用ガムは、動物の皮を切断することによって、紐状部材を得ている。ここで、仮に、動物の皮を、単に、直線的に切断するのであれば、得られる紐状部材の長さは短いものになってしまう。なぜなら、動物の皮の大きさは個体差が小さいため、直線的に切断する場合には、切断して得られる紐状部材の長さができるだけ長くなるように切断（例えば、方形の皮であれば、対角線上に切断する等）下としても、得られる紐状部材が長さには動物の体格に由来する限度がある。
【００４６】
これに対して、この愛玩動物用ガムの製造方法では、動物の皮を、直線的に切断するのではなく、厚み方向視における渦巻き状の経路を沿うように切断している。このため、得られる紐状部材の長さをより長くすることが可能になる。これにより、短い紐状部材を用いて編み部分を編む場合と比較して、長い紐状部材を用いて編み部分を編んだ場合の方が、編み部分の大きさを大きくすることができる。
【００４７】
本発明の第１６観点に係る愛玩動物用ガムは、第１４観点又は第１５観点に係る愛玩動物用ガムにおいて、紐状部材は、表面の少なくとも一部が凹凸形状となるように加工されている。
【００４８】
この製造方法で得られる愛玩動物用ガムは、紐状部材の少なくとも一部には凹凸形状が形成されているため、愛玩動物が咀嚼する際に、紐状部材の凹凸形状部分が歯に対して擦り付けられる。これにより、歯石や歯垢を削ぎ落とす効果をより高めることが可能になる。
【００４９】
本発明の第１７観点に係る愛玩動物用ガムは、第１６観点に係る愛玩動物用ガムにおいて、凹凸形状は、真皮を厚み方向視における渦巻き状の経路を沿うように切断する際の、切断用の刃先と真皮の切断面との当たり方の変化に起因して形成される。なお、「切断用の刃先と真皮の切断面との当たり方の変化に起因して形成される」とは、特に限定されるものではなく、例えば、切断用の刃を長手方向に往復運動させながら真皮を送る場合に、切断用の刃に多少追従して動く余地を残すように真皮の固定状態を緩やかにすることに起因して形成されるものであってもよい。また、切断用の鋭利な歯を用いた部分的な切断を行いつつ、わずかに繋がっている部分を引きちぎるようにして、凹凸を形成するようにしてもよい。
【００５０】
この愛玩動物用ガムの製造方法は、真皮の切断作業と同時に、紐状部材への凹凸形状の付与が可能になる。このため、切断作業と、凹凸形成作業と、の両方を別工程として行う必要がなく、生産性を向上させることができる。
【００５１】
本発明の第１８観点に係る愛玩動物用ガムは、第１６観点又は第１７観点に係る愛玩動物用ガムにおいて、凹凸形状となるように加工された部分の表面粗さは、真皮のうち表皮側の面の表面粗さおよび皮下組織側の面の表面粗さのいずれよりも表面粗さが粗くなるように加工されている。
【００５２】
なお、ここで、真皮のうち表皮側の面の表面粗さおよび皮下組織側の面の表面粗さは、基準長さを２．５ｍｍとした場合の、断面曲線における十点平均粗さとして特定される。
【００５３】
商業的に入手される真皮は、表皮側の面および皮下組織側の面の両方が平滑な面を構成している。
【００５４】
これに対して、この製造方法によって得られる愛玩動物用ガムの紐状部材は、凹凸形状を有しており、その凹凸形状部分の表面粗さが、真皮の平滑な表皮側の面および皮下組織側の面のいずれよりも粗くなるように構成されている。このため、真皮の平滑な表皮側の面や皮下組織側の面が歯に擦り付けられた場合と比較して、凹凸形状部分が歯に擦り付けられた場合の方が、歯石や歯垢を削ぎ落とす効果をより高めることが可能になる。
【００５５】
本発明の第１９観点に係る愛玩動物用ガムは、第１４観点から第１８観点のいずれかに係る愛玩動物用ガムにおいて、編み部分は、外形が筒形状となる部分を含むように形成されている。
【００５６】
この製造方法で得られた愛玩動物用ガムは、編み部分の外形が筒形状となる部分を含んでいるため、立体的に形成されている。これにより、外形が板状の場合と比較して、外形が筒形状の場合には、周囲から内側に歯が入り込みやすくなり、歯と歯の間や歯の根元付近まで紐状部材が入り込みやすくなる。
【００５７】
より具体的に説明すると、例えば、外形が板状であると、紐状部材同士の間の隙間に愛玩動物の歯が入り込もうとしても、この隙間部分で上の歯と下の歯が当たってしまう場合には、歯の根元まで紐状部材を入り込ませることが困難な場合がある。
【００５８】
これに対して、この愛玩動物用ガムでは、外形が筒形状となるように立体的に形成された部分を含んでいるため、上の歯と下の歯とが当たってしまう前に、歯の根元まで紐状部材を入り込ませることが可能になる。
【００５９】
本発明の第２０観点に係る愛玩動物用ガムは、第１４観点から第１９観点のいずれかに係る愛玩動物用ガムにおいて、少なくとも編み部分の表面に、硬化層を設ける工程をさらに有する。
【００６０】
この製造方法で得られる愛玩動物用ガムは、編み部分の表面に硬化層が形成されているため、編み部分において互いに接触している紐状部材同士を固定させることが可能になる。このため、愛玩動物によって咀嚼される際に、形状が保持されやすく、歯との摩擦を効果的に生じさせることができる。
【発明の効果】
【００６１】
本発明の愛玩動物用ガムによると、愛玩動物の歯磨き効果を高めることができる。
【００６２】
本発明の愛玩動物用ガムの製造方法によると、愛玩動物の歯磨き効果を高めることができる愛玩動物用のガムを製造することができる。
【図面の簡単な説明】
【００６３】
【図１】第１実施形態に係る愛玩動物用ガムの外観斜視図である。
【図２】表皮、真皮および皮下組織の三層状態を示す概略図である。
【図３】切断装置用の特定の形に切り取られる真皮の様子を示す図である。
【図４】真皮の切断開始状態の様子を示す図である。
【図５】真皮を渦巻き状に切断することで紐状部材を得る様子を示す図である。
【図６】径方向外側から見た切断用の刃と真皮との位置関係を示す図である。
【図７】接線方向における真皮進行方向側から見た切断用の刃と真皮との位置関係を示す図である。
【図８】切断部分の様子を上方から見た場合の平面視概略図である。
【図９】紐状部材の凹凸形状の様子を示す概略図である。
【図１０】平編の表側から見た平面図である。
【図１１】平編の裏面側から見た平面図である。
【図１２】愛玩動物用ガムを動物が咀嚼する際の例を示す図である。
【図１３】第２実施形態に係る愛玩動物用ガムの例を示す図である。
【図１４】第２実施形態に係る愛玩動物用ガムの筒状体の軸方向視概略断面図を示す図である。
【図１５】第３実施形態に係る愛玩動物用ガムの概観斜視図である。
【図１６】第４実施形態に係る紐状部位の概観斜視図である。
【図１７】第５実施形態に係る愛玩動物用ガムの概観斜視図である。
【図１８】真皮から紐状部材を得る切断方法の参考例を示す図である。
【図１９】複数本の紐状部材によって組まれた場合の例を示す図である。
【図２０】複数本の紐状部材によって組まれたガムを食させた場合の様子を説明する図である。
【発明を実施するための形態】
【００６４】
以下、図面を参照しつつ、本発明の一実施形態としての愛玩動物用ガムおよびその製造方法を説明する。
【００６５】
（１）第１実施形態
図１に、第１実施形態に係る愛玩動物用ガム１０の概観斜視図を示す。
【００６６】
（１−１）愛玩動物用ガム１０の概要
愛玩動物用ガム１０は、牛の真皮で構成される１本の紐状部材７を、外形が筒形状である筒状体となるように平編することで得られる。
【００６７】
愛玩動物用ガム１０は、犬等の動物に対して餌として与えられ、歯によって十分な咀嚼を行った上で飲み込まれる。この愛玩動物用ガム１０が愛玩動物に咀嚼される際に、歯と愛玩動物用ガム１０とが互いに擦れ合うことで、歯の汚れを落とす歯磨き効果が得られるとともに、歯に付着している歯石や歯垢等を削ぎ落とす効果が得られる。
【００６８】
（１−２）愛玩動物用ガム１０の製造方法
愛玩動物用ガム１０は、以下の工程で製造される。
【００６９】
（１−２−１）真皮６の用意
まず、真皮を用意する。
【００７０】
この真皮は、通常の商業的手法により入手することができる。真皮６は、図２に示すように、動物の皮（本実施形態では、牛の皮）のうち、表皮５と、皮下組織４と、を取り除いて得られる皮である。なお、表皮５は、動物の皮膚を構成している最も体外に位置する組織である。また、皮下組織４は、内臓や脂肪が含まれる。
【００７１】
真皮６は、動物の大きさに由来するものであるため、その大きさは個体差があるが、概ね、図３に示すように、縦Ｌ１が約７０ｃｍで、横Ｌ２が約１２０ｃｍ程度の大きさであり、厚みは２ｍｍ程度である。特に、真皮６の厚みは、１ｍｍ以上４ｍｍ以下の範囲である。
【００７２】
ここで、商業的に入手される真皮６では、表皮５側の上面６ｅと、皮下組織４側の下面６ｉと、がそれぞれ洗浄されており、平滑化されている。
【００７３】
（１−２−２）切断機械にセットするための形状の調整
次に、用意した真皮６を、図３に示すように、円形状に切断する（外周の直径が５７０ｍｍ程度）。
【００７４】
なお、本実施形態では、内側から渦巻き状に切断を開始するために、内側に図３に示すような径の小さな開口６ｘ（直径が４０ｍｍ程度）を設ける。
【００７５】
（１−２−３）切断による紐状部材７の作成
円形状に切断された真皮６を、図４に示すように、切断用の刃８を備えた図示しない切断装置の所定の位置にセットする。
【００７６】
真皮６は、切断装置のターンテーブルによって、所定の回転方向Ｒ１に所定の回転速度でスムーズに（間欠的にならないように）回転する。ここで、所定の周期およびストロークで切断用の刃８が上下に所定ストローク幅（ここでは、１４ｍｍ）で、所定の周期で駆動する。これにより、図５に示すように、内側から外側に向けて渦巻き状に真皮６が切断されていくことにより、紐状部材７が得られる。ここで、切断が進むにつれて内側の開口６ｘが大きくなっていくため、切断用の刃８は、開口６ｘの広がりに伴って径方向外側に向けて少しずつ移動する（図５の矢印参照）。なお、上記所定の回転速度および切断用の刃８の上下駆動周期は、図示しない操作部を介して入力することにより調節可能になっている。なお、本実施形態では、幅が１．７ｍｍとなるように切断されている。
【００７７】
図６に、径方向外側から見た切断用の刃８と真皮６との位置関係を示す。図７に、真皮６の円弧の接線方向における真皮進行方向側（図５における下側）から見た切断用の刃８と真皮６との位置関係を示す。図８に、切断時の様子を上方から見た場合の平面視概略図を示す。
【００７８】
円形状に切り取られた真皮６は、図７に示すように、その円形外周部が、ターンテーブル９１と狭持部９３とによって鉛直方向から狭持されている。この真皮６は、円形外周部が狭持された状態のままで回転される。ここで、狭持部９３は、真皮６の上面６ｅに対して、押さえレバー９４によって押し付けられている。また、押さえ９２は、真皮６の上面６ｅの上方であって、真皮６の被切断部分近傍における径方向外側に位置しており、真皮６の切断中には、真皮６の上面６ｅに対して押さえ付けられる。これにより、真皮６は、円形外周部がターンテーブル９１と狭持部９３によって狭持されているだけでなく、円形内周部の被切断部分近傍が押さえ９２によって上方から押さえられているため、真皮６の内周側端部が自由端にならないようにしている（円形内周部の被切断部近傍は上方側からのみ押さえられ、下方からは押さえられていない）。なお、切断時は、押さえ９２の下面は、真皮６の上面６ｅと擦れ合いながら、真皮６の被切断部分近傍の上方への揺れを防いでいる。これにより、切断用の刃８が上方から下方に向けて切断する際は、真皮６が押さえ９２の下面から下方に向けて離れ気味の状態になり、切断用の刃８が下方から上方に向けて切断する際は、真皮６が切断用の刃８に追従するように上方に上がりつつ、押さえ９２の下面によってさらなる上方への移動が規制された状態になる。
【００７９】
切断用の刃８は、真皮６の回転進行方向後ろ側が鋭利になるように形成されている。具体的には、切断用の刃８は、鋭利になっている部分を除くと、真皮６の進行方向の長さが５ｍｍであり、径方向の幅が３ｍｍである。切断用の刃８は、後ろ側（真皮６の回転進行方向とは反対側、歯先側）が鉛直方向に伸びており、最下端から上方８ｍｍの位置から下方に進むにつれて後ろ側（真皮６の回転進行方向とは反対側、歯先側）に向けて細くなるように形成されている。また、切断用の刃８は、径方向外側が鉛直方向に延びており、最下端から上方８ｍｍの位置から下方に進むにつれて径方向外側に向けて細くなるように形成されている。なお、切断用の刃８の径方向外側を向いた面は平面形状であるが、この平面は、図８に示すように、上面視において、前側（真皮６の回転進行方向側、歯先とは反対側）に向かうにつれて径方向内側に向かうような、斜めの姿勢となるように（図８のθが１０度程度になるように）切断用の刃８が切断装置に取り付けられている。
【００８０】
このように切断されることで、図９に示すように、紐状部材７が得られる。なお、本実施形態では、幅が１．７ｍｍとなるように切断されているため、得られる紐状部材７の全長は、約８５ｍとなる。図９において、面Ｅは表皮側の面であり、面Ｉは皮下組織側の面であり、面Ｒは切断時に径方向外側に位置している面であり、面Ｌは切断時に径方向内側に位置している面である。ここで、面Ｒおよび面Ｌは、いずれも凹凸形状が形成されている。この凹凸形状は、上記切断用の刃８を備えた切断装置による切断時に同時に形成される。具体的には、切断用の刃８の刃先と真皮６の切断面との当たり方の変化に起因して凹凸が形成される。
【００８１】
（１−２−４）紐状部材７を編む
上述のようにして得られた紐状部材７は、図示しない編み機によって、緯編（よこあみ、Weft Knitting）の一種である平編（Plain Stitch、メリヤス編、天竺編、ジャージーともいう。）によって編み部分が形成されていく。さらに、この編み部分は、外形が筒形状となるように編まれることで、筒状体を構成する。
【００８２】
なお、紐状部材７は、編まれる前に、柔軟性を上げるために、グリセリンとエタノールを含有した水溶液に３０分程度浸される。
【００８３】
紐状部材７は、図１０に示す表面、および、図１１に示す裏面のように、直線状に交差させることなく、編目（loop）を形成する動作を連続的に行いながら、平編される。
【００８４】
この筒状体は、紐状部材７が、編み物が形成されていく方向（図１０、１１における上方向）に対して、主として、直行する方向（図１０、１１における左右方向）に連続的に編目が形成していきながら、編まれることで得られる。
【００８５】
平編みでは、まず、紐状部材７を波状にすることで、１段目が作られる。その後、図１０、１１のＡで示す部分が、Ｂで示す部分まで伸びることで、筒形状を形成しつつ、筒形状の軸方向に１つ段を追加する。Ｂまで伸びた紐状部材７は、１段目の波状の上方に突出した部分の内側から、筒形状となった際の径方向内側から外側に向けて、１段目と同様に、上方に突出した部分を生じさせながら編んでいく。これによって、２段目が作られる。その後、図１０、１１のＣで示す部分が、Ｄで示す部分まで伸びることで、１段目や２段目と同様に筒形状を形成しつつ、筒形状の軸方向にさらに１つ段を追加する（３段目）。この操作を繰り返すことにより、平編による筒状体が得られる。
【００８６】
なお、本実施形態では、紐状部材７は幅が１．７ｍｍとなるように切断されているため、得られる紐状部材７の全長が約８５ｍとなっており、平編によって４．２ｍ程度の長さの筒状体になる。その後、４．２ｍｍの筒状体は、愛玩動物が一回に食す程度の長さに切断される。
【００８７】
（１−２−５）平編による筒状体を硬化させる
紐状部材７が平編され、両端が切断された筒状体を、デンプンを溶かした水溶液に含浸させる。なお、この水溶液に含有させるデンプンの量は、１０〜３０質量パーセント程度であることが好ましく、２０質量パーセント程度であることがより好ましい。なお、この水溶液には、愛玩動物用ガム１０の風味と光沢を付与する目的で、カゼインが含有されていてもよい。
【００８８】
上述のように水溶液に含浸させた筒状体を、熱風によって強制乾燥させることで、表層に硬化層が形成され、愛玩動物用ガム１０が得られる。
【００８９】
（１−３）特徴
以上のようにして得られる愛玩動物用ガム１０は、平編で筒状体が形成されているため、愛玩動物が咀嚼した場合に、図１２に示すように、歯Ｔが、筒状体の紐状部材７同士の間の隙間Ｐの内側に向かう際に、歯Ｔと紐状部材７との摩擦が生じる。これにより、歯Ｔに付着していた汚れが落とされ、歯磨き効果が得られる。
【００９０】
なお、例えば、図１８に示すように、単に、直線的に切断する場合には、得られる紐状部材９０７の長さが短くなってしまう。このため、仮に、得られた紐状部材９０７によって、上記愛玩動物用ガム１０のような平編の筒状体を得ようとしても、紐状部材９０７が直ぐに途切れてしまうため得ることができない。これに対して、上記愛玩動物用ガム１０では、真皮６を渦巻き状に切断することで、連続的に、長い紐状部材７を得ることができている（上記実施形態では８５ｍ程度）。これにより、平編によって得られた筒状体を、連続的に製造することができるようになっている（上記実施形態では４．２ｍ程度）。
【００９１】
また、例えば、直線的に切断されて得られる紐状部材９０７を、図１９に示すように、各紐状部材９０７同士の間に隙間が生じるように、複数本組合せることにより、組み物９１０を作成することができる。ここで、組み物９０７の長手方向と、各紐状部材９０７の長手方向とは、概ね同じ方向を向いている。この紐状部材９０７は大きく曲げられることなく、なだらかに湾曲しながら他の紐状部材９０７と組まれる。このため、図１８で示したように、直線的に切断することで短い紐状部材９０７しか得られない場合であっても、横Ｌ２（約１２０ｃｍ程度）よりも多少短い程度の長手方向の長さを有する組み物９１０を得ることはできる。ところが、このような組み物９１０では、図２０に示すように、愛玩動物が噛み付こうとする際に、手で押さえる等によって長手方向に引っ張られると紐状部材９０７同士の間の隙間が閉じられてしまう。そして、愛玩動物が咀嚼した時には、紐状部材９０７の長手方向に対して略垂直な方向から歯によって力が付与されることになる。このため、組み物９１０は、歯Ｔの先端によって容易につぶされてしまい、紐状部材９０７を歯Ｔの根元や歯Ｔの歯茎Ｇ付近に対して十分に擦り合わせることができない。このため、十分な歯磨き効果を得ることができない。
【００９２】
これに対して、本実施形態の愛玩動物用ガム１０では、１本の紐状部材７が平編された編み部分によって筒状体が形成されている。このため、愛玩動物用ガム１０が噛み付く筒状体の外側には、全体的に隙間Ｐが設けられており、特に隙間Ｐの位置に方向性も無い。さらに、紐状部材７は平編されているため、筒状体の軸方向（長手方向）に伸びるのではなく、筒状体の周りに沿うように、かつ、波打つことで網目（loop）を作りながら、伸びている。しかも、平編された紐状部材７の網目（loop）は、上段や下段の網目（loop）と絡み合っているため、筒状体は、形状保持力が向上している。さらに、形状保持力のある筒状体の中は、中空となっているため、歯Ｔの先端が隙間Ｐの内側に入り込みやすい。このため、愛玩動物用ガム１０のどの方向から噛み付かれたとしても、歯Ｔの先端を筒状体の内部まで到達させ、紐状部材７を歯Ｔの根元や歯Ｔの歯茎Ｇ付近に対して擦り合わせることができる。以上により、上記愛玩動物用ガム１０は、十分な歯磨き効果を得ることができる。なお、歯Ｔに擦り付けられる部分が、紐状部材７に設けられた凹凸形状部分である場合には、歯石や歯垢を削ぎ落とす効果を高めることができる。また、小さく砕けた後は咀嚼することなく直ぐに飲み込んでしまう犬のような愛玩動物であっても、最初の噛み付き時歯磨き効果を得ることができる。
【００９３】
さらに、上述した組み物９１０は、複数本の紐状部材９０７によって構成されているため、愛玩動物がそのうちの１本を咥えて抜き出してしまうと、組み物９１０の全体形状が崩れてしまい、歯磨き効果が得られにくい。これに対して、上記愛玩動物用ガム１０では、１本の紐状部材７を編むことで構成されている。１本の紐状部材７が咥えて抜き取られることがなく、バラバラになりにくいため、完食させるまでの間、歯磨き効果を得ることができる。
【００９４】
（２）第２実施形態
図１３に、第２実施形態に係る愛玩動物用ガム２０の概観斜視図を示す。
【００９５】
この第２実施形態の愛玩動物用ガム２０も、上記第１実施形態の愛玩動物用ガム１０と同様に、紐状部材２７（上記第１実施形態の紐状部材７に相当）を平編によって筒状体を形成する点は共通している。この第２実施形態の愛玩動物用ガム２０では、上記第１実施形態の愛玩動物用ガム１０のように軸方向の端部を切断するのではなく、軸方向に形成される最終段部分２２が、紐状部材２７の余り部分２１によって外側から周方向に巻き付けられた構成を有している。この愛玩動物用ガム２０では、平編によって構成されている部分は、全体に対して９０質量パーセント以上の部分を占めている。この第２実施形態の愛玩動物用ガム２０によっても、上記第１実施形態と同様の効果を得ることができる。
【００９６】
なお、この愛玩動物用ガム２０のＷ−Ｗ面で切断した断面図を図１４に示す。なお、図１４では、紐状部材２７は、一部だけ示し、他の部分は省略している。
【００９７】
ここでは、筒状体の外形と内径との差（以下、「厚みａ」という。）と、筒状体の内径ｂと、の関係ａ：ｂが、１：１〜１：２０が好ましく、１：２〜１：１０がより好ましい。この範囲は、例えば愛玩動物が犬である場合には、大型犬や小型犬等の種類に応じて適宜調節することができる。
【００９８】
（３）第３実施形態
図１５に、第３実施形態の愛玩動物用ガム３０を示す。
【００９９】
この第３実施形態の愛玩動物用ガム３０は、紐状部材３７の最大太さが１．５ｍｍ以下であり、筒形状を観念することが困難な程度に空隙率が高く構成されている。このような愛玩動物用ガム３０は、特に、小型の愛玩動物に適している。
【０１００】
なお、この紐状部材３７の最大太さが１．５ｍｍ以下となるように細く形成された第３実施形態の愛玩動物用ガム３０は、全体の硬度を高めるために、デンプンを溶かした水溶液に含浸させることで、表層に硬化層を形成してもよい。
【０１０１】
（４）第４実施形態
図１６に、第４実施形態の愛玩動物用ガムに用いられる紐状部材７２を示す。
【０１０２】
愛玩動物用ガムを構成するために編まれる紐状部材は、第１〜第３実施形態に示した直線的な形状ではなく、図１６に示すようなスプリング形状であってもよい。この紐状部材７２は、真皮６の表皮側もしくは皮下組織側が、径方向内側もしくは径方向外側を向くように、かつ、切断部分７２ｒが軸方向に向くように、スプリング形状が形成される。このスプリング形状は、切断された紐状部材を、水やグリセリン等によって柔軟性を付与した後で、所定の棒状部材に巻き付け、乾燥させることで得られる。
【０１０３】
このようにして得られた紐状部材７２をさらに編むことによって、愛玩動物用ガムを作成してもよい。
【０１０４】
（５）第５実施形態
図１７に、第５実施形態の愛玩動物用ガム４０を示す。
【０１０５】
第５実施形態の愛玩動物用ガム４０は、第１実施形態の愛玩動物用ガム１０と同様に、筒状体を有しており、さらに、内部に所定硬さの食餌材９が入れられている。この食餌材９は、特に限定されるものではなく、例えば、愛玩動物の種類に応じて、好まれる材料を適宜選択することができる。また、このように、筒状体の内部に食餌材９を挿入することで、咀嚼時における筒形状部分の形状安定性を高めることができるため、歯磨き効果も向上させることができる。
【０１０６】
また、愛玩動物用ガム４０では、筒状体の内部に所定硬さの食餌材９が入れられているため、愛玩動物が噛み付いた際に、愛玩動物用ガム４０がつぶれにくい。このため、愛玩動物の歯Ｔが紐状部材７の間の隙間Ｐに入り込む際に、歯Ｔの先端は食餌材９の内部まで進んでいっても、紐状部材７は食餌材９の外側に残るため、紐状部材７が歯Ｔの根本に到達しやすい。これにより、歯磨き効果を十分に得ることができる。
【０１０７】
（６）他の実施形態
本発明の実施形態は、上記実施形態に限られるものではなく、例えば、以下の実施形態も本発明の実施形態に含まれる。
【０１０８】
（６−１）
上記実施形態では、１本の紐状部材のみを用いて構成された編み部分を有する愛玩動物用ガムを例に挙げて説明した。
【０１０９】
しかし、本発明の実施形態としては、これに限られず、例えば、１本の紐状部材のみを用いて構成された編み部分に対して、別の（もしくは異なる素材の）紐状部材を編み込んで得られる構成もしくは絡ませて得られる構成の愛玩動物用ガムであってもよい。
【０１１０】
この場合、愛玩動物用ガム全体に対する、１本の紐状部材によって構成された編み部分の質量パーセントが１０質量パーセント以上であることがよく、２０質量パーセント以上であることが好ましく、４０質量パーセント以上であることより好ましく、８０質量パーセント以上であることが最も好ましい。
【０１１１】
（６−２）
上記実施形態では、紐状部材を編むことで筒状体を形成する場合を例に挙げて説明した。
【０１１２】
しかし、本発明の実施形態としては、これに限られず、例えば、筒状体とすることなく、平面形状としてもよい。例えば、図１０、１１において、Ａの部分からＣの部分に繋げつつ、Ｂの部分からＤの部分に繋げることで、平面形状とされた愛玩動物用ガムであってもよい。
【０１１３】
（６−３）
上記実施形態では、材料の動物の皮として、「牛」の真皮を用いる場合を例に挙げて説明した。
【０１１４】
しかし、本発明の実施形態としては、これに限られず、例えば、豚、馬、鹿、カンガルー、ダチョウ、羊、山羊、および、猪からなる群より選択される１種類又は２種以上の組合せを用いてもよい。
【０１１５】
（６−４）
上記実施形態では、緯編（よこあみ、Weft Knitting）の一種である平編（Plain Stitch）によって編み部分を構成する場合を例に挙げて説明した。
【０１１６】
しかし、本発明の実施形態としては、これに限られず、例えば、編み部分を得るための紐状部材の編み方は、特に限定されるものではなく、例えば、緯編（よこあみ、Weft Knitting）であってもよいし、経編（たてあみ、Warp Knitting）であってもよいし、緯編と経編との組合せであってもよい。
【０１１７】
ここでの緯編としては、ゴム編（Rib Stitch、リブ編、畦編、リブ・ニット、クチ編ともいう。）、パール編（Pearl Stitch、両頭編、ガータ編（Garter Stitch）ともいう。）、タック編(Tuck Stitch)、浮き編(Float Stitch、フロート・スティッチ、ウェルト編、沈み編ともいう。)、レース編(Lace Stitch、透孔編、透かし目編、フィレット編、ニードル・ループ目移しともいう。)、両畦編(Full Cardigan Stitch、フル・カーディガン編、ポルカ・リブ（Polka Rib）ともいう。)、片畦編(Half Cardigan Stitch、ハーフ・カーディガン編ともいう。)、ペレリン編(Pelerine Stitch、シンカ・ループ目移しともいう。)、アイレット編(Eyelet Stitch)、両面編(Interlock Stitch、スムース編（Circular Interlock Knitting）、両面スムース編、インターロック（Interlock）、 メリディアン（Meridian）、ダブル・リブ(Double Rib)、二重ゴム編（Double Rib）ともいう。)、多衝程両面編(両面出合い、ダブル・ジャージー、ダブル・ニットともいう。)、ダブル・ジャージー編(Double Jersey ゴム編出合い、ダブル・ニットともいう。)、振り編(Racked Stitch、ショッキング、ラッキングともいう。)、針抜き編(Broad Stitch)、立毛編(Plush Stitch、パイル編、プラシ編、ビロード編ともいう。)、裏毛編(Fleecy Knitting、フリース編(Fleecy Stitch)、プラシ編(Plush Stitch)ともいう。)、添え糸編(Plating Stitch、プレーティングともいう。)、からみ添え糸編(Embroidery Plating、刺繍編、エンブロイダリングともいう。)、ラーベン編(Rahben Stitch)、ひねり編(Ring Stitch、なわ編ともいう。)、アーガイル編(Argyle Design)、および、２種以上のこれらの組合せが含まれる。
【０１１８】
ここでの経編としては、シングル・デンビー編(Single Denbigh Stitch、デンビー編、一重トリコットともいう。)、シングル・バンダイク編(Single Vandyke Stitch、シングル・アトラス編、１重アトラス編、バンダイク編みともいう。)、シングル・コード編(Single Cord Stitch、一重コード編、プレーン・コード編ともいう。)、ベルリン編(English Leather Stitch、イングリッシュ・レザー、イギリス・レザーともいう。)、二目編(Two Needle Stitch、ダブル・スティッチ、二重編みともいう。)、シェル編(Shell Stitch)、ダブル・デンビー編(Double Dembigh Stitch、二重デンビー編、トリコット編、プレーン・トリコット編ともいう。)、アトラス編(Atlas Stitch、ダブル・アトラス、ダブル・バンダイク編、ダイヤモンド編ともいう。)、コード編(Double Cord Stitch、ダブル・コード編、ダブル・バー・コード編ともいう。)、ハーフ・トリコット編(Half Tricot Stitch、ハーフ編、シャルムーズ、変形トリコット編、ロック・ニットともいう。)、サテン編(Satin Stitch、サテン・トリコット編、変形トリコットともいう。)、シャークスキン編(Sharkskin Stitch、変化トリコットともいう。)、クイーンズ・コード編(Queen's Cord Stitch、アメリカン・シャークスキンともいう。)、ミラニーズ編(Milanese Stitch、１×１アトラス、１×２アトラス、サテン・ミラニーズともいう。)、アイドル・スイング編(Idle Swing Stitch、遊びのスイングともいう。)、エラスティック編(Elastic Stitch、ストレッチ・ニットともいう。)、パイル編(Pile Stitch、プラシ編、立毛編、ビロード編ともいう。)、タック編(Tuck Stitch、引き上げ編ともいう。)、紋編(Figured Stitch、模様編ともいう。)、パイナップル編(Pineapple Stitch、変り柄編みともいう。)、裏毛編(Fleecy Knitting、フリース編、プラシ編、裏毛経編ともいう。)、裏毛アトラス編(Lined Atlas Stitch)、裏毛コード編(Lined Cord Stitch)、レース編(Lace Work, Open Work、透孔編（Lace Stitch）,透かし目編、フィレット編ともいう。)、および、２種以上のこれらの組合せが含まれる。
【０１１９】
（６−５）
上記実施形態では、切断用の刃８の刃先と真皮６の切断面との当たり方の変化に起因して凹凸を、紐状部材７に形成する場合を例に挙げて説明した。
【０１２０】
しかし、本発明の実施形態としては、これに限られず、例えば、凹凸形状が形成されないように真皮６を切断して、紐状部材を得てもよい。
【０１２１】
また、例えば、真皮６の切断時に凹凸形状を生じさるのではなく、ヤスリ等を用いたり、プレス加工する等の任意の手法で凹凸形状を生じさせるようにしてもよい。
【０１２２】
また、上記実施形態では、真皮６の表皮５側と皮下組織側４との少なくともいずれか一方の表面を凹凸加工して上記実施形態のように切断面に凹凸形状を付与すると、紐状部材の凹凸形状部分の面積を増大させることができる。また、真皮６の表皮５側と皮下組織側４と両方の表面を凹凸加工した場合には、紐状部材の表面の実質的に全ての部分に凹凸形状を付与することができる。このようにして得られた凹凸形状部分の多い紐状部材を用いて編むことで編み部分を形成した場合には、歯石や歯垢を削ぎ落とす効果をよりいっそう高めた愛玩動物用ガムを得ることができる。
【０１２３】
なお、紐状部材において、凹凸形状が形成されている部分と、凹凸形状が形成されていない部分との区別は、以下の断面曲線における十点平均粗さの基準で区別することができる。十点平均粗さとは、断面曲線（フィルタ処理などを一切しない測定したままのデータ）における最高の山頂から高い順に５番目までの山高さの平均と、最深の谷底から深い順に５番目までの谷深さの平均と、の和をいう。なお、ここでは、基準長さ（カットオフ値）の中に５つの山頂が無い場合や、５つの谷底が無い場合には、存在している山頂の個数で除して平均値を得て、存在している谷底の個数で除して平均値を得ることとする。
【０１２４】
以上の条件で、紐状部材において凹凸形状が形成されている部分の断面曲線における十点平均粗さは、基準長さ（カットオフ値）を２５．０ｍｍとした場合に、３５μｍ以上４００μｍ以下である。また、紐状部材において凹凸形状が形成されていない部分の断面曲線における十点平均粗さは、基準長さ（カットオフ値）を２．５ｍｍとした場合に、０μｍ以上３０μｍ以下である。なお、ここでの評価は、いずれもうねりを含んでいる。
【０１２５】
なお、紐状部材において、凹凸形状が形成されている部分と、凹凸形状が形成されていない部分と、の断面曲線における十点平均粗さの関係が、上記各基準長さに従って求めた場合に、凹凸形状が形成されている部分の十点平均粗さが、凹凸形状が形成されていない部分の十点平均粗さの１０倍以上であることが好ましい。
【０１２６】
紐状部材において、凹凸形状が形成されている部分と、凹凸形状が形成されていない部分との区別は、明らかに把握できる場合には、当業者の目で確認することもできる。
【０１２７】
また、この区別は、カゼインやデンプン等によって、愛玩動物用ガムの表層に硬化層が形成されたものも同様に行う。
【０１２８】
また、紐状部材において凹凸形状が形成されている部分の断面曲線を沿った平均長さは、基準長さ（カットオフ値）を１０．０ｍｍとした場合に、１２００μｍ以上３０００μｍ以下であることが好ましく、１３００μｍ以上１８００μｍ以下であることがより好ましい。紐状部材において凹凸形状が形成されていない部分の断面曲線を沿った平均長さは、基準長さ（カットオフ値）を１０．０ｍｍとした場合に、１０００μｍ以上１１００μｍ以下であることが好ましく、１０００μｍ以上１０１０μｍ以下であることがより好ましい。
【０１２９】
（６−６）
上記実施形態では、幅が１．７ｍｍとなるように切断された紐状部材７を例に挙げて説明した。
【０１３０】
しかし、本発明の実施形態としては、これに限られるものではない。紐状部材の幅としては、例えば、０．５ｍｍ以上１５．０ｍｍ以下であることが好ましく、１．０ｍｍ以上１０．０ｍｍ以下であることがより好ましく、１．０ｍｍ以上５．０ｍｍ以下であることがさらに好ましい。
【０１３１】
（６−７）
上記実施形態では、紐状部材７を平編することで得られる筒状体によって愛玩動物用ガム１０を構成する場合を例に挙げて説明した。
【０１３２】
しかし、本発明の実施形態としては、これに限られず、例えば、紐状部材７の凹凸形状部分が網目（loop）の内側を向くように編み方を調整し、筒状体とした場合に紐状部材７の凹凸部分が周方向に向いて位置するように（径方向内側でもなく、径方向外側でもない向きに向いて位置するように）してもよい。この場合には、網目に歯が入り込んでいく際に、紐状部材７の凹凸形状の部分と歯の表面とを効率的に擦り合わせることができ、歯石や歯垢を削ぎ落とす効果を得ることができる。
【０１３３】
（６−８）
上記実施形態では、愛玩動物が犬である場合を例に挙げて説明した。
【０１３４】
しかし、本発明の実施形態としては、これに限られず、例えば、愛玩動物として猫や他の歯を有する動物を対象としていてもよい。
【０１３５】
（６−９）
上記実施形態では、真皮６が切断されることで紐状部材７を得た後、編む前に、その紐状部材７をグリセリンとエタノールを含有した水溶液に浸す場合を例に挙げて説明した。
【０１３６】
しかし、本発明の実施形態としては、これに限られず、例えば、真皮６を切断する前に真皮６自体をグリセリンとエタノールを含有した水溶液に浸し、柔らかくなった真皮６を切断することで紐状部材７を得てもよい。
【０１３７】
また、グリセリンとエタノールを含有した水溶液に浸す時間については、特に限定されるものではなく、編む前の紐状部材７を浸す場合であっても、真皮６を浸す場合であっても、例えば、２０分〜６０分程度の時間だけ浸すようにしてもよい。
【０１３８】
（６−１０）
上記実施形態では、デンプンを溶かした水溶液に筒状体を含浸させた後、強制乾燥させる場合を例に挙げて説明した。
【０１３９】
しかし、本発明の実施形態としては、これに限られず、例えば、常温下において、自然乾燥させてもよい。
【０１４０】
（６−１１）
なお、上記各実施形態と、他の実施形態と、の組合せによって得られる実施形態についても、当然に本願発明の実施形態に含まれる。
【産業上の利用可能性】
【０１４１】
本発明の愛玩動物用ガムおよびその製造方法は、１本の紐状部材によって編まれた部分を有していることにより、愛玩動物の歯磨き効果を高めることが可能になる点で特に有用である。
【符号の説明】
【０１４２】
４  皮下組織
５  表皮
６  真皮
７、２７、３７  紐状部材
８  切断用の刃
１０、２０、３０  愛玩動物用ガム
【先行技術文献】
【特許文献】
【０１４３】
【特許文献１】特開平９−２８３１２号公報
【図１】
2013074817.tif 000003
【図２】
2013074817.tif 000004
【図３】
2013074817.tif 000005
【図４】
2013074817.tif 000006
【図５】
2013074817.tif 000007
【図６】
2013074817.tif 000008
【図７】
2013074817.tif 000009
【図８】
2013074817.tif 000010
【図９】
2013074817.tif 000011
【図１０】
2013074817.tif 000012
【図１１】
2013074817.tif 000013
【図１２】
2013074817.tif 000014
【図１３】
2013074817.tif 000015
【図１４】
2013074817.tif 000016
【図１５】
2013074817.tif 000017
【図１６】
2013074817.tif 000018
【図１７】
2013074817.tif 000019
【図１８】
2013074817.tif 000020
【図１９】
2013074817.tif 000021
【図２０】
2013074817.tif 000022